(57)【要約】本発明は、上映施設の座席における効果制御システムに関し、詳細には、後列の座席に着座したユーザーに、映像に同期化した効果（例えば、ウォーターショット、エアーショットまたは香りなど）を提供する上映施設において、後列の座席に着座したユーザーから入力された効果制御情報を、前列の座席の効果制御装置に中継して映像に同期化した効果を制御することにより、映像の上映時、座席のモーション動作中でも、後列のユーザーが、自身に提供される効果を容易且つ安全に調節することができる、上映施設の座席における効果制御システムに関する。【選択図】図１
2015517828.tif 000002
【特許請求の範囲】
【請求項１】
ユーザーから入力された効果の種類と、座席の効果提供有無又は効果の強度とが含まれた効果制御情報、予め設定されたネットワークアドレスに伝送する第１の座席の効果制御装置；
前記第１の座席の前列に位置し、前記第１の座席に着座したユーザーに、映像に同期化した効果を提供する第２の座席の効果制御装置；及び
前記予め設定されたネットワークアドレスに基づいて、前記第１の座席の効果制御装置から効果制御情報を受信し、前記第１の座席とマッピングされた第２の座席の効果制御装置のネットワークアドレスを確認し、前記確認された第２の座席の効果制御装置に前記受信された効果制御情報を中継する中央制御装置；を含み、
前記第２の座席の効果制御装置は、前記中央制御装置を介して中継された効果制御情報に応じて前記座席の効果を制御することを特徴とする上映施設の座席における効果制御システム。
【請求項２】
ユーザーから入力された４Ｄ効果制御情報を、予め設定されたネットワークアドレスに伝送する第１の座席の効果制御装置；及び
予め設定されたネットワークアドレスに基づいて、第１の座席に着座したユーザーに、映像に同期化した効果を提供するが、前記第１の座席の効果制御装置から伝送された効果制御情報に応じて、前記提供される効果を制御する第２の座席の効果制御装置；を含み、
前記第１の座席の効果制御装置と第２の座席の効果制御装置とは、互いに無線通信を介して予めネットワーク接続されることを特徴とする上映施設の座席における効果制御システム。
【請求項３】
前記第２の座席の効果制御装置は、
前記中央制御装置から、効果の種類と、座席の効果提供有無又は効果の強度とが含まれた効果制御情報を受信し、前記受信された効果制御情報の効果の種類に対応する第２の座席に連結されたバルブを、前記受信された座席の効果提供有無又は効果の強度に応じて制御し、前記バルブと連結されたノズルの流量を調節させることを特徴とする請求項１に記載の上映施設の座席における効果制御システム。
【請求項４】
前記第２の座席の効果制御装置は、
前記ユーザーに、ウォーターショット効果、エアーショット効果及び香り効果のうち少なくとも１つを提供することを特徴とする請求項１又は２に記載の上映施設の座席における効果制御システム。
【請求項５】
前記第２の座席の効果制御装置は、
前記第１の座席の効果制御装置から、効果の種類と、座席の効果提供有無又は効果の強度とが含まれた効果制御情報を受信し、前記受信された効果制御情報の効果の種類に対応する第２の座席に連結されたバルブを、前記受信された座席の効果提供有無又は効果の強度に応じて制御し、前記バルブと連結されたノズルの流量を調節させることを特徴とする請求項２に記載の上映施設の座席における効果制御システム。
【発明の詳細な説明】
【技術分野】
【０００１】
本発明は、上映施設の座席における効果制御システムに関し、詳細には、後列の座席に着座したユーザーに、映像に同期化した効果（例えば、ウォーターショット、エアーショット又は香り）を提供する上映施設において、後列の座席に着座したユーザーから入力された効果制御情報を、前列の座席の効果制御装置に中継して、映像に同期化した効果を制御することにより、映像の上映時、座席のモーション動作中でも、後列の座席に着座したユーザーが、自己に提供される効果を容易且つ安全に調節することができる、上映施設の座席における効果制御システムに関する。
【背景技術】
【０００２】
劇場や映画館などのような映像物の上映施設において、従来は、観客に映像物のみを上映していたが、最近、映像物の上映と共に種々の効果を観客に提供するようになっている。
【０００３】
一般の映像物を上映する映画館が２Ｄ映画館、観客が画面を見る時に立体感を感じることができるように特殊撮影が行われた映像物を上映する映画館が３Ｄ映画館、視聴覚の他に触覚、臭覚などを刺激して五感を感じながら映像を観覧することができる映画館が４Ｄ映画館である。
【０００４】
４Ｄ映画館では、観客の着席する座席を動かすためのモーションベースが、座席の下に設けられており、観客に種々の効果を提供する特殊効果装置が、座席及び映画館の内壁又は天井などに設けられている。
【０００５】
観客は、座席に着座して映画を観覧する時、単に映像のみを見るのではなく、映像に同期化したモーションと、水、風、煙、閃光、熱などの効果を直接体感すると共に、映画に対する興味や没入度を高めることができる。
【０００６】
現在運用中の４Ｄ映画館においては、多数の座席セットが配置され、当該座席セットは、モーションベースだけでなく、前列に位置した座席セットの背面に、水、風又は香りなどを噴射する４Ｄ効果装置が備えられている。４Ｄ効果装置は、前列に位置した座席セットの背面から、４Ｄ効果を示す物質を、後列に位置した座席セットに着席した観客へ噴射するようになっている。
【０００７】
このような４Ｄ効果装置は、映画館の全体を制御する中央装置により制御され、観客毎に同様な効果を提供している。
【０００８】
しかし、一部の観客は、自身の顔に向かって噴射される４Ｄ効果を好まないような場合があり得る。全ての観客に同一の４Ｄ効果が提供されると、４Ｄ効果が、映画の上映中に一部の観客に不快感を与えるようになる。また、４Ｄ効果を好む観客であっても、自身の好みに合わない強い４Ｄ効果が提供されると、映画への観客の没入度が低くなりことがあり得る。
【０００９】
なお、４Ｄ映画館に設けられた多数の座席セットは、前列及び後列毎に隣接して位置している。この時、後列の座席に着座した観客は、上映中、自分の着座した後列の座席に設けられた４Ｄ効果装置を調節することが容易でないという問題点がある。仮令、前列の座席から噴射される４Ｄ効果を制御するスイッチが前列の座席に設けられていると、後列の座席に着座した観客が、自身に提供される４Ｄ効果を調節するには、前列の座席へ移動して背面に設けられた４Ｄ効果装置を調節する必要がある。座席がモーション動作中であれば、観客が落下又は負傷するおそれがある。
【００１０】
この問題を解決するため、全座席セットの前後座席毎に配線を連結することが考えられるが、座席間の配線が複雑になり、座席のモーション動作により配線にトラブルが生じるか、故障が発生することがあり得る。さらに、前後列の座席毎に４Ｄ効果装置を制御する配線が既設されている場合、後列の座席で前列の座席を制御し得る配線を新たに設けると、配線がさらに複雑になるという問題点がある。
【００１１】
また、従来の４Ｄ効果を提供する上映施設における座席は、後列に着座した観客が、前列の座席から噴射される４Ｄ効果の強度や種類を選択的に選択することができないという問題点がある。種々の４Ｄ効果のうち好みにする効果の種類や強度を選択することができないため、全ての観客には同じ種類や強度で４Ｄ効果が提供されている。
【発明の概要】
【発明が解決しようとする課題】
【００１２】
本発明は、上記の問題点を解決するために創案されたもので、本発明の目的は、後列の座席に着座したユーザーに、映像に同期化した効果（例えば、ウォーターショット、エアーショット又は香りなど）を提供する上映施設において、後列の座席に着座したユーザーから入力された効果制御情報を、前列の座席の効果制御装置へ中継して、映像に同期化した効果を制御することにより、映像の上映時、座席のモーション動作中でも、後列のユーザーが、自己に提供される効果を容易且つ安全に調節することができる、上映施設の座席における効果制御システムを提供することにある。
【課題を解決するための手段】
【００１３】
上述の目的を達成するため、本発明の第１の側面に係る装置は、ユーザーから入力された効果の種類と、座席効果の提供有無又は効果の強度とが含まれた効果制御情報を、予め設定されたネットワークアドレスに伝送する第１の座席の効果制御装置；前記第１の座席の前列に位置し、前記第１の座席に着座したユーザーに、映像に同期化した効果を提供する第２の座席の効果制御装置；及び、前記予め設定されたネットワークアドレスに基づいて、前記第１の座席の効果制御装置から効果制御情報を受信し、前記第１の座席とマッピングされた第２の座席の効果制御装置のネットワークアドレスを確認し、前記確認された第２の座席の効果制御装置に前記受信された効果制御情報を中継する中央制御装置；を含み、前記第２の座席の効果制御装置は、前記中央制御装置を介して中継された効果制御情報に応じて前記座席の効果を制御することを特徴とする。
【００１４】
また、本発明の第２の側面に係る装置は、ユーザーから入力された４Ｄ効果制御情報を、予め設定されたネットワークアドレスに伝送する第１の座席の効果制御装置；及び、予め設定されたネットワークアドレスに基づいて、第１の座席に着座したユーザーに、映像に同期化した効果を提供するが、前記第１の座席の効果制御装置から伝送された効果制御情報に応じて、前記提供される効果を制御する第２の座席の効果制御装置；を含み、前記第１の座席の効果制御装置と第２の座席の効果制御装置とは、互いに無線通信を介して予めネットワーク接続されることを特徴とする。
【発明の効果】
【００１５】
本発明によれば、後列の座席に着座したユーザーに、映像に同期化した効果（例えば、ウォーターショット、エアーショット又は香りなど）を提供する上映施設において、後列の座席に着座したユーザーから入力された効果制御情報を、前列の座席の効果制御装置へ中継して、映像に同期化した効果を制御することにより、映像の上映時、座席のモーション動作中でも、後列のユーザーが、自身に提供される効果を容易且つ安全に調節することができるという効果が得られる。
【００１６】
また、本発明によれば、無線通信網又は既設の有線通信網を介して効果制御情報を中継したり送受信したりすることで、既に複雑な配線で連結されている上映施設において、モーション座席の間で追加して配線を連結する必要がないため、座席のモーション動作による配線故障が発生して４Ｄ効果が中止される事態を回避することができるという効果が得られる。
【００１７】
さらに、本発明によれば、映像の上映中でも、後列の座席に着座したユーザーが、便利に前列の座席からの４Ｄ効果の強度や種類を選択することにより、上映時に、４Ｄ効果による不快感を減少させ、映像への没入度を高めることができるという効果が得られる。
【図面の簡単な説明】
【００１８】
【図１】本発明に適用される映像物の上映施設における座席の一実施例の例示図。
【図２】本発明に係る映像物の上映施設における座席の配置の一実施例の説明図。
【図３】本発明の第１の実施例に係る上映施設の座席における効果制御システムの一実施例の構成図。
【図４】本発明に係る図３の効果提供部の一実施例の詳細構成図。
【図５】本発明の第２の実施例に係る上映施設の座席における効果制御システムの一実施例の構成図。
【図６】本発明の第１の実施例に係る上映施設の座席における効果制御システムの一実施例のフローチャート。
【図７】本発明の第２の実施例に係る上映施設の座席における効果制御システムの一実施例のフローチャート。
【発明を実施するための形態】
【００１９】
以下、添付の図面を参照して、本発明に係る実施例を詳述する。本発明の構成及びその作用効果は、以下の詳細な説明により明確に理解できるだろう。なお、本発明の詳細な説明において、同じ構成要素には、別の図面に示される場合でも、同じ符号を付し、公知の構成については、本発明の要旨を明確にするため、その具体的な説明は、省略する。
【００２０】
図１は、本発明に適用される映像物の上映施設における座席の一実施例の例示図である。
【００２１】
本発明に適用される映像物の上映施設は、例えば、多数の座席が１つの座席セット１００をなしている。例えば、図１には、４つの座席が１つの座席セット１００をなしている構造が示されている。座席セット１００は、上映施設のスクリーン側から、階段式の構成により多数の列をなして配置されている。本発明は、座席セットだけでなく、座席が多数の列をなして一つずつ前後に配置されている、映像物の上映施設においても適用可能である。
【００２２】
ここで、映像物の上映施設に設けられた座席には、モーションベースだけでなく、前列に位置した座席の背面に、水、風又は香りなどを噴射する噴射装置１１０が設けられている。このような噴射装置１１０は、前列の座席の背面から、４Ｄ効果を誘発する水、風又は香りなどを、着座しているユーザーに噴射される。
【００２３】
図２は、本発明に係る映像物の上映施設における座席の配置の一実施例を示す説明図である。
【００２４】
図２に示されるように、映像物の上映施設において、前列の座席２１０及び後列の座席２２０は、階段式に映像物の上映施設の床部の上に設置されている。本発明は、前列の座席２１０及び後列の座席２２０が一定の距離を置いて配置されている上映施設に適用可能である。
【００２５】
一例として、前列の座席２１０は、ユーザーが４Ｄ効果を調節することが可能な選択スイッチ２１２、及び座席の背面に設けられた噴射装置２１１を含んでいる。また、後列の座席２２０は、ユーザーが４Ｄ効果を調節することが可能な選択スイッチ２２２、及び座席の背面に設けられた噴射装置２２１を含んでいる。
【００２６】
後列に着座したユーザーには、前列の座席２１０の背面に設けられた噴射機２１１を介して４Ｄ効果が提供されるようになる。この時、後列の座席２２０に着座したユーザーは、選択スイッチ２２２により、前列の座席２１０の噴射機２１１から提供される４Ｄ効果（例えば、エアーショット、ウォーターショット、香りなど）を調節し、又は、オン・オフさせることができる。
【００２７】
図３は、本発明の第１の実施例に係る上映施設の座席における効果制御システムの一実施例の構成図である。
【００２８】
図３に示されるように、本発明に係る上映施設の座席における効果制御システム３００は、中央制御装置３３０、前列の座席（以下、「第２の座席」という）の効果制御装置３２０、及び後列の座席（以下、「第１の座席」という）の効果制御装置３１０を含んでいる。
【００２９】
本発明に係る効果制御システム３００は、第１の座席に着座したユーザーが第１の座席の効果制御装置３１０に効果制御情報を入力すると、入力された効果制御情報を、中央制御装置３３０を介して第２の座席の効果制御装置３２０へ伝送する。次に、第２の座席の効果制御装置３２０は、第１の座席に着座したユーザーにより入力された効果制御情報に応じて４Ｄ効果を制御する。
【００３０】
以下、本発明の第１の実施例に係る効果制御システム３００の構成要素のそれぞれについて説明する。
【００３１】
第１の座席の効果制御装置３１０は、ユーザーから入力された効果制御情報を、予め設定された中央制御装置３３０のネットワークアドレスに伝送する。第１の座席の効果制御装置３１０には、中央制御装置３３０のネットワークアドレスが予め格納されている。
【００３２】
また、中央制御装置３３０は、予め設定されたネットワークアドレスに基づいて、第１の座席の効果制御装置３１０から受信された効果制御情報を、第２の座席の効果制御装置３２０へ中継する。中央制御装置３３０には、第１の座席の前列に位置した第２の座席の効果制御装置３２０のネットワークアドレスが予め格納されている。
【００３３】
第２の座席の効果制御装置３２０は、第１の座席の前列に位置して、第１の座席に着座したユーザーに、映像に同期化した効果を提供する。この時、第２の座席の効果制御装置３２０は、中央制御装置３３０を介して中継された効果制御情報を受信すると、当該受信された効果制御情報に応じて４Ｄ効果を制御する。
【００３４】
このため、第１の座席の効果制御装置３１０は、ユーザーインターフェース部３１１、制御部３１２、通信部３１３及び効果提供部３１４を含んでいる。また、第２の座席の効果制御装置３２０は、ユーザーインターフェース部３２１、制御部３２２、通信部３２３及び効果提供部３２４を含んでいる。
【００３５】
第１の座席の効果制御装置３１０及び第２の座席の効果制御装置３２０の構成要素のそれぞれについて順次説明する。
【００３６】
第１の座席の効果制御装置３１０において、ユーザーインターフェース部３１１は、ユーザーが効果制御情報を入力することが可能な選択スイッチなどから構成される。ユーザーインターフェース部３１１については、ユーザーが希望する４Ｄ効果のオン・オフ、種類や強度などがユーザーにより選択される。
【００３７】
通信部３１３は、中央制御装置３３０とネットワークを介して通信を行うことで、効果制御情報を伝送する。この時、ネットワークは、近距離の有無線通信網を通じて接続され、特定の通信網に限定されない。
【００３８】
効果提供部３１４は、第１の座席の後列の座席に着座したユーザーに、４Ｄ効果を提供する。
【００３９】
制御部３１２は、ユーザーインターフェース３１１を介して入力された効果制御情報が中央制御装置３３０のネットワークアドレスに伝送されるように、当該効果制御情報を通信部３１３に伝達する。また、制御部３１２は、効果提供部３１４を制御することで、ユーザーに提供される４Ｄ効果を制御する。
【００４０】
なお、第２の座席の効果制御装置３２０において、通信部３２３は、中央制御装置３３０と通信を行うことで、第１の座席の効果制御装置３１０から伝送された効果制御情報を受信する。ここで、通信部３２３は、中央制御装置３３０と予めネットワークを介して接続されている。この時、ネットワークは、近距離の有無線通信網を介して接続され、特定の通信網に限定されない。
【００４１】
効果提供部３２４は、上映施設において、第１の座席に着座したユーザーに、映像に同期化した効果を提供する。例えば、効果提供部３２４は、ユーザーにウォーターショット効果、エアーショット効果及び香り効果のうち少なくとも１つを提供することができる。
【００４２】
この時、制御部３２２は、通信部３２３を介して受信された効果制御情報を伝達されると、当該効果制御情報に応じて効果提供部３２４を制御する。制御部３２２には、座席の効果提供有無、効果の種類及び効果の強度のうち少なくとも１つが含まれた効果制御情報が伝達される。
【００４３】
図４は、本発明に係る図３中の効果提供部の一実施例の詳細構成図である。
【００４４】
図４に示されるように、効果提供部３１４、３２４は、バルブ１〜４（４１１、４２１、４３１及び４４１）及びノズル１〜４（４１２、４２２、４３２及び４４２）を含んでいる。
【００４５】
効果提供部３１４、３２４は、座席の制御部３１２及び３２２とそれぞれ連結されている。効果提供部３１４、３２４のうち、第２の座席の効果提供部３２４について、以下説明する。
【００４６】
効果提供部３２４のバルブ１〜４（４１１、４２１、４３１及び４４１）は、制御部３２２とそれぞれ連結され、制御部３２２により制御されている。第２の座席が座席セットとして配置されている場合、制御部３２２が、座席セットの中、第２の座席と連結されたバルブを制御すると、当該バルブに連結されたノズルの流量が調節されることができる。バルブ１〜４（４１１、４２１，４３１及び４４１）は、１番目から４番目の座席が１セットになっている座席セットに設けられるが、１番目から４番目の座席の背面に設けられている。また、バルブ１〜４（４１１、４２１、４３１及び４４１）は、ノズル１〜４（４１２、４２２、４３２及び４２２）の中、対応するノズルから噴射される流量を、それぞれ制御する。
【００４７】
図５は、本発明の第２の実施例に係る上映施設の座席における効果制御システムの一実施例の構成図である。
【００４８】
以下、本発明の第１の実施例と重複する内容は上述の通りであり、第１の実施例と相違している個所を中心に、第２の実施例に係る効果制御システムについて説明する。
【００４９】
図５に示されるように、第１の座席の効果制御装置３１０と、第２の座席の効果制御装置３２０とは、互いに無線通信を通じて予めネットワークで接続されている。例えば、第１の座席の効果制御装置３１０及び第２の座席の効果制御装置３２０は、Ｚｉｇｂｅｅ、Ｂｌｕｅｔｏｏｔｈなどのような近距離無線通信を通じて接続されることができる。
【００５０】
第１の座席の効果制御装置３１０の通信部３１３と、第２の座席の効果制御装置３２０の通信部３２３とは、近距離無線通信を介して相互ネットワーク接続する。この時、前後に配置された座席毎に設けられた効果制御装置３１０、３２０には、伝送先、又は受信すべき効果制御装置のネットワークアドレスが格納されている。
【００５１】
第１の座席の効果制御装置３１０の通信部３１３は、ユーザーから入力された４Ｄ効果制御情報を、予め設定された第２の座席の効果制御３２０のネットワークアドレスに伝送する。即ち、第１の座席の通信部３１３は、第２の座席の通信部３２３と、ネットワークを介して接続し、第２の座席の通信部３２３は、第１の座席の通信部３１３から効果制御情報を受信する。
【００５２】
第２の座席の効果制御装置３２０は、予め設定されたネットワークアドレスに基づいて、第１の座席に着座したユーザーに、映像に同期化した効果を提供するが、第１の座席の効果制御装置３１０から伝送された効果制御情報に応じて４Ｄ効果を制御する。
【００５３】
図６は、本発明の第１の実施例に係る上映施設の座席における効果制御方法の一実施例を示すフローチャートである。
【００５４】
第１の座席の効果制御装置３１０は、中央制御装置３３０とネットワークを介して接続される（Ｓ６０２）。また、第２の座席の効果制御装置３２０は、中央制御装置３３０とネットワークを介して接続される（Ｓ６０４）。ここで、ネットワークは、有無線通信網を通じて接続されることができる。
【００５５】
第１の座席の効果制御装置３１０は、ユーザーが選択スイッチなどを介して効果を調節するか否かを確認し、ユーザーから４Ｄ効果制御情報を入力される（Ｓ６０６）。
【００５６】
また、第１の座席の効果制御装置３１０は、第１の座席から入力された４Ｄ効果制御情報を、予め設定された中央制御装置３３０のネットワークアドレスに伝送する（Ｓ６０８）。
【００５７】
中央制御装置３３０は、第１の座席とマッピングされた第２の座席の効果制御装置３２０のネットワークアドレスを確認する（Ｓ６１０）。効果制御情報を伝送すべき座席間のネットワークアドアドレスのマッピングテーブルが格納されている。
【００５８】
次に、中央制御装置３３０は、当該第２の座席の効果制御装置３２０のネットワークアドレスに、第１の座席から入力された４Ｄ効果制御情報を伝送する（Ｓ６１２）。
【００５９】
そして、第２の座席の効果制御装置３２０は、４Ｄ効果制御情報が適用されるべき第２の座席のうち該当する座席ユニットを確認する（Ｓ６１４）。
【００６０】
次に、第２の座席の効果制御装置３２０は、座席ユニットに設けられた効果提供部を制御し、４Ｄ効果をユーザーに提供する（Ｓ６１６）。
【００６１】
図７は、本発明の第２の実施例に係る上映施設の座席における効果制御方法の一実施例を示すフローチャートである。
【００６２】
第１の座席の効果制御装置３１０は、予め設定された第２の座席の効果制御装置３２０との接続を要請する（Ｓ７０２）。
【００６３】
そして、第１の座席の効果制御装置３１０と、第２の座席の効果制御装置３２０とは、無線ネットワークを介して連結される（Ｓ７０４）。
【００６４】
第１の座席の効果制御装置３１０は、ユーザーから４Ｄ効果制御情報を入力される（Ｓ７０６）。
【００６５】
そして、第１の座席の効果制御装置３１０は、予め接続された第２の座席の効果制御装置３２０のネットワークアドレスを確認し、当該確認された第２の座席の効果制御装置３２０のネットワークアドレスに４Ｄ効果制御情報を伝送する（Ｓ７０８）。
【００６６】
第２の座席の効果制御装置３２０は、４Ｄ効果制御情報が適用されるべき第２の座席のうち該当する座席ユニットを確認する（Ｓ７１０）。
【００６７】
次に、第２の座席の効果制御装置３２０は、座席ユニットに設けられた効果提供部を制御して、４Ｄ効果をユーザーに提供させる（Ｓ７１２）。
【００６８】
以上のような説明は、本発明を例示的に示したものに過ぎず、本発明の属する技術分野で通常の知識を有する者であれば、本発明の技術的思想から逸脱しない範囲内で種々に変更して実施することが可能である。従って、本発明の明細書に開示の実施例は、本発明を限定するものではない。本発明の範囲は、添付の特許請求の範囲により解釈されるべきであり、それと均等な範囲内の全ての技術は、本発明の範囲に含まれるものと解釈されるべきである。
【符号の説明】
【００６９】
３１０：第１の座席の効果制御装置、３３０：中央制御装置、３１１：ユーザーインターフェース、３１２：制御部、３１３：通信部、３１４：効果提供部、３２０：第２の座席の効果制御装置、３２１：ユーザーインターフェース、３２２：制御部、３２３：通信部、３２４：効果提供部
【図１】
2015517828.tif 000003
【図２】
2015517828.tif 000004
【図３】
2015517828.tif 000005
【図４】
2015517828.tif 000006
【図５】
2015517828.tif 000007
【図６】
2015517828.tif 000008
【図７】
2015517828.tif 000009
【手続補正書】
【提出日】平成26年8月14日(2014.8.14)
【手続補正１】
【補正対象書類名】明細書
【補正対象項目名】全文
【補正方法】変更
【補正の内容】
【発明の詳細な説明】
【技術分野】
【０００１】
本発明は、上映施設の座席における効果制御システムに関し、詳細には、後列の座席に着座したユーザーに、映像に同期化した効果（例えば、ウォーターショット、エアーショット又は香り）を提供する上映施設において、後列の座席に着座したユーザーから入力された制御情報を、前列の座席の効果制御装置に中継して、映像に同期化した効果を制御することにより、映像の上映時、座席のモーション動作中でも、後列の座席に着座したユーザーが、自己に提供される効果を容易且つ安全に調節することができる、上映施設の座席における効果制御システムに関する。
【背景技術】
【０００２】
劇場や映画館などのような映像物の上映施設において、従来は、観客に映像物のみを上映していたが、最近、映像物の上映と共に種々の効果を観客に提供するようになっている。
【０００３】
一般の映像物を上映する映画館が２Ｄ映画館、観客が画面を見る時に立体感を感じることができるように特殊撮影が行われた映像物を上映する映画館が３Ｄ映画館、視聴覚の他に触覚、臭覚などを刺激して五感を感じながら映像を観覧することができる映画館が４Ｄ映画館である。
【０００４】
４Ｄ映画館では、観客の着席する座席を動かすためのモーションベースが、座席の下に設けられており、観客に種々の効果を提供する特殊効果装置が、座席及び映画館の内壁又は天井などに設けられている。
【０００５】
観客は、座席に着座して映画を観覧する時、単に映像のみを見るのではなく、映像に同期化したモーションと、水、風、煙、閃光、熱などの効果を直接体感すると共に、映画に対する興味や没入度を高めることができる。
【０００６】
現在運用中の４Ｄ映画館においては、多数の座席セットが配置され、当該座席セットは、モーションベースだけでなく、前列に位置した座席セットの背面に、水、風又は香りなどを噴射する４Ｄ効果装置が備えられている。４Ｄ効果装置は、前列に位置した座席セットの背面から、４Ｄ効果を示す物質を、後列に位置した座席セットに着席した観客へ噴射するようになっている。
【０００７】
このような４Ｄ効果装置は、映画館の全体を制御する中央装置により制御され、観客毎に同様な効果を提供している。
【０００８】
しかし、一部の観客は、自身の顔に向かって噴射される４Ｄ効果を好まないような場合があり得る。全ての観客に同一の４Ｄ効果が提供されると、４Ｄ効果が、映画の上映中に一部の観客に不快感を与えるようになる。また、４Ｄ効果を好む観客であっても、自身の好みに合わない強い４Ｄ効果が提供されると、映画への観客の没入度が低くなりことがあり得る。
【０００９】
なお、４Ｄ映画館に設けられた多数の座席セットは、前列及び後列毎に隣接して位置している。この時、後列の座席に着座した観客は、上映中、自分の着座した後列の座席に設けられた４Ｄ効果装置を調節することが容易でないという問題点がある。仮令、前列の座席から噴射される４Ｄ効果を制御するスイッチが前列の座席に設けられていると、後列の座席に着座した観客が、自身に提供される４Ｄ効果を調節するには、前列の座席へ移動して背面に設けられた４Ｄ効果装置を調節する必要がある。座席がモーション動作中であれば、観客が落下又は負傷するおそれがある。
【００１０】
この問題を解決するため、全座席セットの前後座席毎に配線を連結することが考えられるが、座席間の配線が複雑になり、座席のモーション動作により配線にトラブルが生じるか、故障が発生することがあり得る。さらに、前後列の座席毎に４Ｄ効果装置を制御する配線が既設されている場合、後列の座席で前列の座席を制御し得る配線を新たに設けると、配線がさらに複雑になるという問題点がある。
【００１１】
また、従来の４Ｄ効果を提供する上映施設における座席は、後列に着座した観客が、前列の座席から噴射される４Ｄ効果の強度や種類を選択的に選択することができないという問題点がある。種々の４Ｄ効果のうち好みにする効果の種類や強度を選択することができないため、全ての観客には同じ種類や強度で４Ｄ効果が提供されている。
【発明の概要】
【発明が解決しようとする課題】
【００１２】
本発明は、上記の問題点を解決するために創案されたもので、本発明の目的は、後列の座席に着座したユーザーに、映像に同期化した効果（例えば、ウォーターショット、エアーショット又は香りなど）を提供する上映施設において、後列の座席に着座したユーザーから入力された制御情報を、前列の座席の効果制御装置へ中継して、映像に同期化した効果を制御することにより、映像の上映時、座席のモーション動作中でも、後列のユーザーが、自己に提供される効果を容易且つ安全に調節することができる、上映施設の座席における効果制御システムを提供することにある。
【課題を解決するための手段】
【００１３】
上述の目的を達成するため、本発明の第１の側面に係るシステムは、ユーザーから入力された効果の種類又は効果の強度が含まれた制御情報を伝送する座席の第１の制御装置；前記座席の前方空間に位置し、前記座席における空間に、映像に同期化した効果を提供する第２の制御装置；及び、前記第１の制御装置から受信された制御情報を前記第２の制御装置に中継する中央制御装置；を含み、前記中央制御装置は、制御情報を中継するための前記第１の制御装置と前記第２の制御装置との間のマッピングを確認し、前記第２の制御装置は、前記中央制御装置を介して中継された制御情報に応じて効果を制御することを特徴とする。
【００１４】
また、本発明の第２の側面に係るシステムは、ユーザーから入力された効果の種類又は効果の強度を含む制御情報を伝送する座席の第１の制御装置；及び前記座席の前方空間に位置し、前記第１の制御装置から受信された制御情報に応じて前記効果を提供する第２の制御装置；を含み、前記第１の制御装置と第２の制御装置とは、互いに無線通信を介して予めネットワーク接続され、前記第２の制御装置は、前記座席における空間への、映像に同期化した効果の提供を制御することを特徴とする。
【発明の効果】
【００１５】
本発明によれば、後列の座席に着座したユーザーに、映像に同期化した効果（例えば、ウォーターショット、エアーショット又は香りなど）を提供する上映施設において、後列の座席に着座したユーザーから入力された制御情報を、前列の座席の効果制御装置へ中継して、映像に同期化した効果を制御することにより、映像の上映時、座席のモーション動作中でも、後列のユーザーが、自身に提供される効果を容易且つ安全に調節することができるという効果が得られる。
【００１６】
また、本発明によれば、無線通信網又は既設の有線通信網を介して制御情報を中継したり送受信したりすることで、既に複雑な配線で連結されている上映施設において、モーション座席の間で追加して配線を連結する必要がないため、座席のモーション動作による配線故障が発生して４Ｄ効果が中止される事態を回避することができるという効果が得られる。
【００１７】
さらに、本発明によれば、映像の上映中でも、後列の座席に着座したユーザーが、便利に前列の座席からの４Ｄ効果の強度や種類を選択することにより、上映時に、４Ｄ効果による不快感を減少させ、映像への没入度を高めることができるという効果が得られる。
【図面の簡単な説明】
【００１８】
【図１】本発明に適用される映像物の上映施設における座席の一実施例の例示図。
【図２】本発明に係る映像物の上映施設における座席の配置の一実施例の説明図。
【図３】本発明の第１の実施例に係る上映施設の座席における効果制御システムの一実施例の構成図。
【図４】本発明に係る図３の効果提供部の一実施例の詳細構成図。
【図５】本発明の第２の実施例に係る上映施設の座席における効果制御システムの一実施例の構成図。
【図６】本発明の第１の実施例に係る上映施設の座席における効果制御システムの一実施例のフローチャート。
【図７】本発明の第２の実施例に係る上映施設の座席における効果制御システムの一実施例のフローチャート。
【発明を実施するための形態】
【００１９】
以下、添付の図面を参照して、本発明に係る実施例を詳述する。本発明の構成及びその作用効果は、以下の詳細な説明により明確に理解できるだろう。なお、本発明の詳細な説明において、同じ構成要素には、別の図面に示される場合でも、同じ符号を付し、公知の構成については、本発明の要旨を明確にするため、その具体的な説明は、省略する。
【００２０】
図１は、本発明に適用される映像物の上映施設における座席の一実施例の例示図である。
【００２１】
本発明に適用される映像物の上映施設は、例えば、多数の座席が１つの座席セット１００をなしている。例えば、図１には、４つの座席が１つの座席セット１００をなしている構造が示されている。座席セット１００は、上映施設のスクリーン側から、階段式の構成により多数の列をなして配置されている。本発明は、座席セットだけでなく、座席が多数の列をなして一つずつ前後に配置されている、映像物の上映施設においても適用可能である。
【００２２】
ここで、映像物の上映施設に設けられた座席には、モーションベースだけでなく、前列に位置した座席の背面に、水、風又は香りなどを噴射する噴射装置１１０が設けられている。このような噴射装置１１０は、前列の座席の背面から、４Ｄ効果を誘発する水、風又は香りなどを、着座しているユーザーに噴射される。
【００２３】
図２は、本発明に係る映像物の上映施設における座席の配置の一実施例を示す説明図である。
【００２４】
図２に示されるように、映像物の上映施設において、前列の座席２１０及び後列の座席２２０は、階段式に映像物の上映施設の床部の上に設置されている。本発明は、前列の座席２１０及び後列の座席２２０が一定の距離を置いて配置されている上映施設に適用可能である。
【００２５】
一例として、前列の座席２１０は、ユーザーが４Ｄ効果を調節することが可能な選択スイッチ２１２、及び座席の背面に設けられた噴射装置２１１を含んでいる。また、後列の座席２２０は、ユーザーが４Ｄ効果を調節することが可能な選択スイッチ２２２、及び座席の背面に設けられた噴射装置２２１を含んでいる。
【００２６】
後列に着座したユーザーには、前列の座席２１０の背面に設けられた噴射機２１１を介して４Ｄ効果が提供されるようになる。この時、後列の座席２２０に着座したユーザーは、選択スイッチ２２２により、前列の座席２１０の噴射機２１１から提供される４Ｄ効果（例えば、エアーショット、ウォーターショット、香りなど）を調節し、又は、オン・オフさせることができる。
【００２７】
図３は、本発明の第１の実施例に係る上映施設の座席における効果制御システムの一実施例の構成図である。
【００２８】
図３に示されるように、本発明に係る上映施設の座席における効果制御システム３００は、中央制御装置３３０、前列の座席（以下、「第２の座席」という）の効果制御装置３２０、及び後列の座席（以下、「第１の座席」という）の効果制御装置３１０を含んでいる。
【００２９】
本発明に係る効果制御システム３００は、第１の座席に着座したユーザーが第１の座席の効果制御装置３１０（以下、第１の制御装置という）に制御情報入力すると、入力された制御情報を、中央制御装置３３０を介して第２の座席の効果制御装置３２０へ伝送する。次に、第２の座席の効果制御装置３２０（以下、第２の制御装置という）は、第１の座席に着座したユーザーにより入力された制御情報に応じて４Ｄ効果を制御する。
【００３０】
以下、本発明の第１の実施例に係る効果制御システム３００の構成要素のそれぞれについて説明する。
【００３１】
第１の座席の効果制御装置３１０は、ユーザーから入力された制御情報を、予め設定された中央制御装置３３０のネットワークアドレスに伝送する。第１の座席の効果制御装置３１０には、中央制御装置３３０のネットワークアドレスが予め格納されている。
【００３２】
また、中央制御装置３３０は、予め設定されたネットワークアドレスに基づいて、第１の座席の効果制御装置３１０から受信された制御情報を、第２の座席の効果制御装置３２０へ中継する。中央制御装置３３０には、第１の座席の前列又は空間に位置した第２の座席の効果制御装置３２０のネットワークアドレスが予め格納されている。
【００３３】
第２の座席の効果制御装置３２０は、第１の座席の前列又は空間に位置して、第１の座席に着座したユーザーに、映像に同期化した効果を提供する。この時、第２の座席の効果制御装置３２０は、中央制御装置３３０を介して中継された制御情報を受信すると、当該受信された制御情報に応じて４Ｄ効果を制御する。
【００３４】
このため、第１の座席の効果制御装置３１０は、ユーザーインターフェース部３１１、制御部３１２、通信部３１３及び効果提供部３１４を含んでいる。また、第２の座席の効果制御装置３２０は、ユーザーインターフェース部３２１、制御部３２２、通信部３２３及び効果提供部３２４を含んでいる。
【００３５】
第１の座席の効果制御装置３１０及び第２の座席の効果制御装置３２０の構成要素のそれぞれについて順次説明する。
【００３６】
第１の座席の効果制御装置３１０において、ユーザーインターフェース部３１１は、ユーザーが制御情報を入力することが可能な選択スイッチなどから構成される。ユーザーインターフェース部３１１については、ユーザーが希望する４Ｄ効果のオン・オフ、種類や強度などがユーザーにより選択される。
【００３７】
通信部３１３は、中央制御装置３３０とネットワークを介して通信を行うことで、制御情報を伝送する。この時、ネットワークは、近距離の有無線通信網を通じて接続され、特定の通信網に限定されない。
【００３８】
効果提供部３１４は、第１の座席の後列の座席に着座したユーザーに、４Ｄ効果を提供する。
【００３９】
制御部３１２は、ユーザーインターフェース３１１を介して入力された制御情報が中央制御装置３３０のネットワークアドレスに伝送されるように、当該制御情報を通信部３１３に伝達する。また、制御部３１２は、効果提供部３１４を制御することで、ユーザーに提供される４Ｄ効果を制御する。
【００４０】
なお、第２の座席の効果制御装置３２０において、通信部３２３は、中央制御装置３３０と通信を行うことで、第１の座席の効果制御装置３１０から伝送された制御情報を受信する。ここで、通信部３２３は、中央制御装置３３０と予めネットワークを介して接続されている。この時、ネットワークは、近距離の有無線通信網を介して接続され、特定の通信網に限定されない。
【００４１】
効果提供部３２４は、上映施設において、第１の座席に着座したユーザーに、映像に同期化した効果を提供する。例えば、効果提供部３２４は、ユーザーにウォーターショット効果、エアーショット効果及び香り効果のうち少なくとも１つを提供することができる。
【００４２】
この時、制御部３２２は、通信部３２３を介して受信された制御情報を伝達されると、当該制御情報に応じて効果提供部３２４を制御する。制御部３２２には、座席の効果提供有無、効果の種類及び効果の強度のうち少なくとも１つが含まれた制御情報が伝達される。
【００４３】
図４は、本発明に係る図３中の効果提供部の一実施例の詳細構成図である。
【００４４】
図４に示されるように、効果提供部３１４、３２４は、バルブ１〜４（４１１、４２１、４３１及び４４１）及びノズル１〜４（４１２、４２２、４３２及び４４２）を含んでいる。
【００４５】
効果提供部３１４、３２４は、座席の制御部３１２及び３２２とそれぞれ連結されている。効果提供部３１４、３２４のうち、第２の座席の効果提供部３２４について、以下説明する。
【００４６】
効果提供部３２４のバルブ１〜４（４１１、４２１、４３１及び４４１）は、制御部３２２とそれぞれ連結され、制御部３２２により制御されている。第２の座席が座席セットとして配置されている場合、制御部３２２が、座席セットの中、第２の座席と連結されたバルブを制御すると、当該バルブに連結されたノズルの流量が調節されることができる。バルブ１〜４（４１１、４２１，４３１及び４４１）は、１番目から４番目の座席が１セットになっている座席セットに設けられるが、１番目から４番目の座席の背面に設けられている。また、バルブ１〜４（４１１、４２１、４３１及び４４１）は、ノズル１〜４（４１２、４２２、４３２及び４２２）の中、対応するノズルから噴射される流量を、それぞれ制御する。
【００４７】
図５は、本発明の第２の実施例に係る上映施設の座席における効果制御システムの一実施例の構成図である。
【００４８】
以下、本発明の第１の実施例と重複する内容は上述の通りであり、第１の実施例と相違している個所を中心に、第２の実施例に係る効果制御システムについて説明する。
【００４９】
図５に示されるように、第１の座席の効果制御装置３１０と、第２の座席の効果制御装置３２０とは、互いに無線通信を通じて予めネットワークで接続されている。例えば、第１の座席の効果制御装置３１０及び第２の座席の効果制御装置３２０は、Ｚｉｇｂｅｅ、Ｂｌｕｅｔｏｏｔｈなどのような近距離無線通信を通じて接続されることができる。
【００５０】
第１の座席の効果制御装置３１０の通信部３１３と、第２の座席の効果制御装置３２０の通信部３２３とは、近距離無線通信を介して相互ネットワーク接続する。この時、前後に配置された座席毎に設けられた効果制御装置３１０、３２０には、伝送先、又は受信すべき効果制御装置のネットワークアドレスが格納されている。
【００５１】
第１の座席の効果制御装置３１０の通信部３１３は、ユーザーから入力された４Ｄ制御情報を、予め設定された第２の座席の効果制御３２０のネットワークアドレスに伝送する。即ち、第１の座席の通信部３１３は、第２の座席の通信部３２３と、ネットワークを介して接続し、第２の座席の通信部３２３は、第１の座席の通信部３１３から制御情報を受信する。
【００５２】
第２の座席の効果制御装置３２０は、予め設定されたネットワークアドレスに基づいて、第１の座席に着座したユーザーに、映像に同期化した効果を提供するが、第１の座席の効果制御装置３１０から伝送された制御情報に応じて４Ｄ効果を制御する。
【００５３】
図６は、本発明の第１の実施例に係る上映施設の座席における効果制御方法の一実施例を示すフローチャートである。
【００５４】
第１の座席の効果制御装置３１０は、中央制御装置３３０とネットワークを介して接続される（Ｓ６０２）。また、第２の座席の効果制御装置３２０は、中央制御装置３３０とネットワークを介して接続される（Ｓ６０４）。ここで、ネットワークは、有無線通信網を通じて接続されることができる。
【００５５】
第１の座席の効果制御装置３１０は、ユーザーが選択スイッチなどを介して効果を調節するか否かを確認し、ユーザーから４Ｄ制御情報を入力される（Ｓ６０６）。
【００５６】
また、第１の座席の効果制御装置３１０は、第１の座席から入力された４Ｄ制御情報を、予め設定された中央制御装置３３０のネットワークアドレスに伝送する（Ｓ６０８）。
【００５７】
中央制御装置３３０は、第１の座席とマッピングされた第２の座席の効果制御装置３２０のネットワークアドレスを確認する（Ｓ６１０）。制御情報を伝送すべき座席間のネットワークアドアドレスのマッピングテーブルが格納されている。
【００５８】
次に、中央制御装置３３０は、当該第２の座席の効果制御装置３２０のネットワークアドレスに、第１の座席から入力された４Ｄ制御情報を伝送する（Ｓ６１２）。
【００５９】
そして、第２の座席の効果制御装置３２０は、４Ｄ制御情報が適用されるべき第２の座席のうち該当する座席ユニットを確認する（Ｓ６１４）。
【００６０】
次に、第２の座席の効果制御装置３２０は、座席ユニットに設けられた効果提供部を制御し、４Ｄ効果をユーザーに提供する（Ｓ６１６）。
【００６１】
図７は、本発明の第２の実施例に係る上映施設の座席における効果制御方法の一実施例を示すフローチャートである。
【００６２】
第１の座席の効果制御装置３１０は、予め設定された第２の座席の効果制御装置３２０との接続を要請する（Ｓ７０２）。
【００６３】
そして、第１の座席の効果制御装置３１０と、第２の座席の効果制御装置３２０とは、無線ネットワークを介して連結される（Ｓ７０４）。
【００６４】
第１の座席の効果制御装置３１０は、ユーザーから４Ｄ制御情報を入力される（Ｓ７０６）。
【００６５】
そして、第１の座席の効果制御装置３１０は、予め接続された第２の座席の効果制御装置３２０のネットワークアドレスを確認し、当該確認された第２の座席の効果制御装置３２０のネットワークアドレスに４Ｄ制御情報を伝送する（Ｓ７０８）。
【００６６】
第２の座席の効果制御装置３２０は、４Ｄ制御情報が適用されるべき第２の座席のうち該当する座席ユニットを確認する（Ｓ７１０）。
【００６７】
次に、第２の座席の効果制御装置３２０は、座席ユニットに設けられた効果提供部を制御して、４Ｄ効果をユーザーに提供させる（Ｓ７１２）。
【００６８】
以上のような説明は、本発明を例示的に示したものに過ぎず、本発明の属する技術分野で通常の知識を有する者であれば、本発明の技術的思想から逸脱しない範囲内で種々に変更して実施することが可能である。従って、本発明の明細書に開示の実施例は、本発明を限定するものではない。本発明の範囲は、添付の特許請求の範囲により解釈されるべきであり、それと均等な範囲内の全ての技術は、本発明の範囲に含まれるものと解釈されるべきである。
【符号の説明】
【００６９】
３１０：第１の座席の効果制御装置、３３０：中央制御装置、３１１：ユーザーインターフェース、３１２：制御部、３１３：通信部、３１４：効果提供部、３２０：第２の座席の効果制御装置、３２１：ユーザーインターフェース、３２２：制御部、３２３：通信部、３２４：効果提供部
【手続補正２】
【補正対象書類名】特許請求の範囲
【補正対象項目名】全文
【補正方法】変更
【補正の内容】
【特許請求の範囲】
【請求項１】
ユーザーから入力された効果の種類又は効果の強度が含まれた制御情報を伝送する座席の第１の制御装置；
前記座席の前方空間に位置し、前記座席における空間に、映像に同期化した効果を提供する第２の制御装置；及び
、前記第１の制御装置から受信された制御情報を、前記第２の制御装置に中継する中央制御装置；を含み、
前記中央制御装置は、制御情報を中継するための前記第１の制御装置と前記第２の制御装置との間のマッピングを確認し、
前記第２の制御装置は、前記中央制御装置を介して中継された制御情報に応じて効果を制御することを特徴とする上映施設の座席における効果制御システム。
【請求項２】
前記第２の制御装置は、
前記中央制御装置から効果の種類又は効果の強度が含まれた制御情報を受信し、前記受信された効果の種類又は効果の強度に対応する前記第２の制御装置と連結されたバルブを、前記受信された効果の種類又は効果の強度に応じて制御して、前記バルブと連結されたノズルの流量を調節させることを特徴とする請求項１に記載の上映施設の座席における効果制御システム。
【請求項３】
前記第２の制御装置は、
前記ユーザーに、ウォーターショット効果、エアーショット効果及び香り効果のうち少なくとも１つを提供することを特徴とする請求項１に記載の上映施設の座席における効果制御システム。
【請求項４】
ユーザーから入力された効果の種類又は効果の強度を含む制御情報を伝送する座席の第１の制御装置；及び
前記座席の前方空間に位置し、前記第１の制御装置から受信された制御情報に応じて、前記効果を提供する第２の制御装置；を含み、
前記第１の制御装置と第２の制御装置とは、互いに無線通信を介して予めネットワーク接続され、
前記第２の制御装置は、前記座席における空間への、映像に同期化した効果の提供を制御することを特徴とする上映施設の座席における効果制御システム。
【請求項５】
前記第２の制御装置は、
前記第１の制御装置から、効果の種類又は効果の強度が含まれた制御情報を受信し、前記受信された効果の種類又は効果の強度に対応する前記第２の制御装置と連結されたバルブを前記受信された効果の種類又は効果の強度に応じて制御して、前記バルブと連結されたノズルの流量を調節させることを特徴とする請求項４に記載の上映施設の座席における効果制御システム。
【請求項６】
前記第２の制御装置は、
前記ユーザーに、ウォーターショット効果、エアーショット効果及び香り効果のうち少なくとも１つを提供することを特徴とする請求項４に記載の上映施設の座席における効果制御システム。
【国際調査報告】
2015517828.tif 000010
2015517828.tif 000011